【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
ワークフローモデルにおけるセットを処理する方法であって、
同じタイプの複数のアセットを有する第１のセットを示す関連するアセット記述子を持った少なくとも第１の入力を有する第１のアクティビティのグラフィカル表現を供給するステップと、
同じタイプの複数のアセットを有する第２のセットを示す関連するアセット記述子を持った少なくとも出力を有する第２のアクティビティのグラフィカル表現を供給し、前記第２のセットのメンバが、前記第１のアクティビティのグラフィカル表現の第１の入力と関連する前記第１のセットのメンバと一致するステップと、
前記第２のアクティビティのグラフィカル表現の出力と関連する前記第２のセットのメンバが前記第１のアクティビティのグラフィカル表現の第１の入力と関連する前記第１のセットのメンバと一致することに基づき、前記第１のアクティビティのグラフィカル表現の第１の入力を前記第２のアクティビティのグラフィカル表現の出力と接続するステップと
を有する方法。
【請求項２】
前記グラフィカル表現の供給は、複数の可能なグラフィカル表現の中からグラフィカル表現を選択することを含む、
請求項１に記載の方法。
【請求項３】
前記第１のアクティビティのグラフィカル表現は、前記第１の入力のアセット記述子とは異なるアセット記述子を持つ第２の入力を有する、
請求項１に記載の方法。
【請求項４】
前記第１のアクティビティのグラフィカル表現の第２の入力のアセット記述子と一致する関連するアセット記述子を持った少なくとも出力を有する第３のアクティビティのグラフィカル表現を供給するステップと、
前記一致するアセット記述子に基づき、前記第１のアクティビティのグラフィカル表現の第２の入力を前記第３のアクティビティのグラフィカル表現の出力と接続するステップと
を更に有する請求項３に記載の方法。
【請求項５】
前記第２のアクティビティのグラフィカル表現は、関連するアセット記述子を持つ少なくとも第１の入力を更に有し、
当該方法は、
前記第２のアクティビティのグラフィカル表現の第１の入力のアセット記述子と一致する関連するアセット記述子を持った少なくとも出力を有する第３のアクティビティのグラフィカル表現を供給するステップと、
前記一致するアセット記述子に基づき、前記第２のアクティビティのグラフィカル表現の第１の入力を前記第３のアクティビティのグラフィカル表現の出力と接続するステップと
を更に有する、請求項１に記載の方法。
【請求項６】
アクティビティのグラフィカル表現のうちの少なくとも１つは、アクティビティテンプレートである、
請求項１に記載の方法。
【請求項７】
アクティビティのグラフィカル表現のうちの少なくとも１つは、アクティビティインスタンスである、
請求項１に記載の方法。
【請求項８】
アクティビティインスタンスのアセット記述子の特定のパラメータは、当該アクティビティインスタンスに接続されるあらゆるテンプレートアクティビティへパスされる、
請求項７に記載の方法。
【請求項９】
ワークフローモデルにおけるセットを処理する装置であって、
ワークフロー情報を記憶するストレージと、
処理するためのデータを記憶するメモリと、
同じタイプの複数のアセットを有する第１のセットを示す関連するアセット記述子を持った少なくとも第１の入力を有する第１のアクティビティのグラフィカル表現を供給し、同じタイプの複数のアセットを有する第２のセットを示す関連するアセット記述子を持った少なくとも出力を有する第２のアクティビティのグラフィカル表現を供給し、前記第２のセットのメンバが、前記第１のアクティビティのグラフィカル表現の第１の入力と関連する前記第１のセットのメンバと一致し、前記第２のアクティビティのグラフィカル表現の出力と関連する前記第２のセットのメンバが前記第１のアクティビティのグラフィカル表現の第１の入力と関連する前記第１のセットのメンバと一致することに基づき、前記第１のアクティビティのグラフィカル表現の第１の入力を前記第２のアクティビティのグラフィカル表現の出力と接続するよう構成されるプロセッサと
を有する装置。
【請求項１０】
ネットワークへ接続するためのネットワーク接続を更に有する
請求項９に記載の装置。
【請求項１１】
前記供給されるグラフィカル表現は、複数の可能なグラフィカル表現の中から選択されたグラフィカル表現を有する、
請求項９に記載の装置。
【請求項１２】
アクティビティのグラフィカル表現のうちの少なくとも１つは、アクティビティテンプレートである、
請求項９に記載の装置。
【請求項１３】
アクティビティのグラフィカル表現のうちの少なくとも１つは、アクティビティインスタンスである、
請求項９に記載の装置。
【請求項１４】
アクティビティインスタンスのアセット記述子の特定のパラメータは、当該アクティビティインスタンスに接続されるあらゆるテンプレートアクティビティへパスされる、
請求項１３に記載の装置。
【請求項１５】
マシンによって実行される場合に、該マシンに、
同じタイプの複数のアセットを有する第１のセットを示す関連するアセット記述子を持った少なくとも第１の入力を有する第１のアクティビティのグラフィカル表現を供給するステップと、
同じタイプの複数のアセットを有する第２のセットを示す関連するアセット記述子を持った少なくとも出力を有する第２のアクティビティのグラフィカル表現を供給し、前記第２のセットのメンバが、前記第１のアクティビティのグラフィカル表現の第１の入力と関連する前記第１のセットのメンバと一致するステップと、
前記第２のアクティビティのグラフィカル表現の出力と関連する前記第２のセットのメンバが前記第１のアクティビティのグラフィカル表現の第１の入力と関連する前記第１のセットのメンバと一致することに基づき、前記第１のアクティビティのグラフィカル表現の第１の入力を前記第２のアクティビティのグラフィカル表現の出力と接続するステップと
を実行させるプログラム。
【手続補正２】
【補正対象書類名】明細書
【補正対象項目名】０１０２
【補正方法】変更
【補正の内容】
【０１０２】
ここで挙げられている全ての例及び条件付き言語は、当該技術を促進することに発明者によって寄与される概念及び実施形態の原理を読者が理解するのを助ける教育的な目的を意図され、そのような具体的に挙げられている例及び条件に制限されないと解釈されるべきである。更に、発明の原理、態様、及び様々な実施形態並びにそれらの具体例を挙げている本願中の全ての記述は、それらの構造上及び機能上の両方の等価物を包含するよう意図される。加えて、そのような等価物は、現在知られている等価物及び将来開発される等価物、すなわち、構造にかかわらず同じ機能を実行する開発されたあらゆる要素の両方を含むことが意図される。  
上記の実施形態に加えて、以下の付記を開示する。
（付記１）
ワークフローモデルにおけるセットを処理する方法であって、
同じタイプの複数のアセットを有する第１のセットを示す関連するアセット記述子を持った少なくとも第１の入力を有する第１のアクティビティのグラフィカル表現を供給するステップと、
同じタイプの複数のアセットを有する第２のセットを示す関連するアセット記述子を持った少なくとも出力を有する第２のアクティビティのグラフィカル表現を供給し、前記第２のセットのメンバが、前記第１のアクティビティのグラフィカル表現の第１の入力と関連する前記第１のセットのメンバと一致するステップと、
前記第２のアクティビティのグラフィカル表現の出力と関連する前記第２のセットのメンバが前記第１のアクティビティのグラフィカル表現の第１の入力と関連する前記第１のセットのメンバと一致することに基づき、前記第１のアクティビティのグラフィカル表現の第１の入力を前記第２のアクティビティのグラフィカル表現の出力と接続するステップと
を有する方法。
（付記２）
前記グラフィカル表現の供給は、複数の可能なグラフィカル表現の中からグラフィカル表現を選択することを含む、
付記１に記載の方法。
（付記３）
前記第１のアクティビティのグラフィカル表現は、前記第１の入力のアセット記述子とは異なるアセット記述子を持つ第２の入力を有する、
付記１に記載の方法。
（付記４）
前記第１のアクティビティのグラフィカル表現の第２の入力のアセット記述子と一致する関連するアセット記述子を持った少なくとも出力を有する第３のアクティビティのグラフィカル表現を供給するステップと、
前記一致するアセット記述子に基づき、前記第１のアクティビティのグラフィカル表現の第２の入力を前記第３のアクティビティのグラフィカル表現の出力と接続するステップと
を更に有する付記３に記載の方法。
（付記５）
前記第２のアクティビティのグラフィカル表現は、関連するアセット記述子を持つ少なくとも第１の入力を更に有し、
当該方法は、
前記第２のアクティビティのグラフィカル表現の第１の入力のアセット記述子と一致する関連するアセット記述子を持った少なくとも出力を有する第３のアクティビティのグラフィカル表現を供給するステップと、
前記一致するアセット記述子に基づき、前記第２のアクティビティのグラフィカル表現の第１の入力を前記第３のアクティビティのグラフィカル表現の出力と接続するステップと
を更に有する、付記１に記載の方法。
（付記６）
アクティビティのグラフィカル表現のうちの少なくとも１つは、アクティビティテンプレートである、
付記１に記載の方法。
（付記７）
アクティビティのグラフィカル表現のうちの少なくとも１つは、アクティビティインスタンスである、
付記１に記載の方法。
（付記８）
アクティビティインスタンスのアセット記述子の特定のパラメータは、当該アクティビティインスタンスに接続されるあらゆるテンプレートアクティビティへパスされる、
付記７に記載の方法。
（付記９）
ワークフローモデルにおけるセットを処理する装置であって、
ワークフロー情報を記憶するストレージと、
処理するためのデータを記憶するメモリと、
同じタイプの複数のアセットを有する第１のセットを示す関連するアセット記述子を持った少なくとも第１の入力を有する第１のアクティビティのグラフィカル表現を供給し、同じタイプの複数のアセットを有する第２のセットを示す関連するアセット記述子を持った少なくとも出力を有する第２のアクティビティのグラフィカル表現を供給し、前記第２のセットのメンバが、前記第１のアクティビティのグラフィカル表現の第１の入力と関連する前記第１のセットのメンバと一致し、前記第２のアクティビティのグラフィカル表現の出力と関連する前記第２のセットのメンバが前記第１のアクティビティのグラフィカル表現の第１の入力と関連する前記第１のセットのメンバと一致することに基づき、前記第１のアクティビティのグラフィカル表現の第１の入力を前記第２のアクティビティのグラフィカル表現の出力と接続するよう構成されるプロセッサと
を有する装置。
（付記１０）
ネットワークへ接続するためのネットワーク接続を更に有する
付記９に記載の装置。
（付記１１）
前記供給されるグラフィカル表現は、複数の可能なグラフィカル表現の中から選択されたグラフィカル表現を有する、
付記９に記載の装置。
（付記１２）
アクティビティのグラフィカル表現のうちの少なくとも１つは、アクティビティテンプレートである、
付記９に記載の装置。
（付記１３）
アクティビティのグラフィカル表現のうちの少なくとも１つは、アクティビティインスタンスである、
付記９に記載の装置。
（付記１４）
アクティビティインスタンスのアセット記述子の特定のパラメータは、当該アクティビティインスタンスに接続されるあらゆるテンプレートアクティビティへパスされる、
付記１３に記載の装置。
（付記１５）
実行される場合に、
同じタイプの複数のアセットを有する第１のセットを示す関連するアセット記述子を持った少なくとも第１の入力を有する第１のアクティビティのグラフィカル表現を供給するステップと、
同じタイプの複数のアセットを有する第２のセットを示す関連するアセット記述子を持った少なくとも出力を有する第２のアクティビティのグラフィカル表現を供給し、前記第２のセットのメンバが、前記第１のアクティビティのグラフィカル表現の第１の入力と関連する前記第１のセットのメンバと一致するステップと、
前記第２のアクティビティのグラフィカル表現の出力と関連する前記第２のセットのメンバが前記第１のアクティビティのグラフィカル表現の第１の入力と関連する前記第１のセットのメンバと一致することに基づき、前記第１のアクティビティのグラフィカル表現の第１の入力を前記第２のアクティビティのグラフィカル表現の出力と接続するステップと
を実行する命令を含む機械可読媒体。